(57)【特許請求の範囲】
【請求項１】
背もたれの後面上部に設けた上面開口する係止孔に、ハンガーにおける水平の吊支杆の中央部より前向きに突出する支腕の前端に設けた支持片を、着脱可能に嵌合してなり、かつ前記吊支杆を、中央杆と、その両端において、水平軸まわりに回動しうるようにした回動杆とからなるものとしたことを特徴とするハンガー付き椅子。
【請求項２】
係止孔を、背もたれにおける左右側杆の上部同士を連結する横杆の中央部に設けた支持金具に形成したことを特徴とする請求項１記載のハンガー付き椅子。
【請求項３】
支腕を支持片の後下方へ向かって傾斜させたことを特徴とする請求項１または２記載のハンガー付き椅子。
【請求項４】
背もたれの左右側杆の上部同士を連結する横杆の中央部後面より、前向凹入する凹入孔を設けるとともに、この凹入孔の下縁に、後方へ突出する受片を設け、かつ受片の上面に上方を向く係止突栓を設け、ハンガーにおける左右方向を向く吊支杆の中央部より前方を向く支持杆の前端に、上方を向く鈎片を設けるとともに、鈎片と、そのやや後方において前記支持杆に、それぞれ前後方向および上下方向を向く係止孔を設け、前記支持杆を水平として、その前端の鈎片を前記凹入孔内へ挿入したとき、鈎片の上端面は凹入孔の上面に当接するとともに、支持杆の前端部は前記受片の上面に支持され、かつ支持杆の前端の係止孔は受片の上面における係止突栓に嵌入し、かつ上記鈎片を前方へ向けて上記受片の上面に係止するとともに、鈎片における係止孔を、受片の上面の係止突栓に嵌合しうるようにしたことを特徴とするハンガー付き椅子。
【請求項５】
ハンガーにおける吊支杆を、基端部が支持杆の後端部上面に垂直支軸をもって枢支することにより、横向き一直線状に展開したり、後向きに折りたたんだりしうるようにしたことを特徴とする請求項４記載のハンガー付き椅子。
【請求項６】
背もたれの上部に、前端を左右方向の軸をもって枢支した支持杆の後端にハンガーを設け、かつ背もたれの後傾と連動して、前記支持杆を上向回動させるようにした押上げ手段を設けたことを特徴とするハンガー付き椅子。
【請求項７】
押上げ手段を、支持杆の中間部と、背もたれの後傾に伴って、座板とともに下傾する伝動杆とを連杆をもって連結したものとし、背もたれの後傾に伴って、伝動杆および連杆を介して、前記支持杆を上向回動させるようにしたことを特徴とする請求項６記載のハンガー付き椅子。
【発明の詳細な説明】
【０００１】
【発明の属する技術分野】
本発明は、背もたれの後面に、洋服等を掛けるためのハンガーを設けたハンガー付き椅子に関する。
【０００２】
【従来の技術】
従来のハンガー付き椅子においては、ハンガーは、通常、背もたれの後側に一体的に固着されていた。
【０００３】
【発明が解決しようとする課題】
ハンガーが背もたれの後面に固着されている従来のハンガー付き椅子においては、ハンガーが背もたれの後方へ突出しているため、邪魔になり、また背もたれを後方へ傾動させた時、床面からのハンガーの高さが低くなり、掛けてある衣服の裾が床に接触して、汚損されることがある。
【０００４】
また、背もたれの傾動に伴い、ハンガーにおける水平の吊支部の上面は傾斜して行くにも拘らず、掛けられている衣服は垂直状態を保ったままであるので、吊支部の上面に接触している衣服の部分は擦られて、型崩れを起こしたり、摩耗したりするおそれがある。
【０００５】
背もたれが固定式の場合であっても、椅子に腰かけたり、立ったりする都度、ハンガーに掛けられている衣服は前後に揺動するため、やはりハンガーの上面と接している衣服の部分が擦られて、同様の問題が起こる。
【０００６】
本発明は、従来のハンガー付き椅子における上記のような問題点を解決することを課題としている。
【０００７】
【課題を解決するための手段】
本発明によると、上記課題は、次のようにして解決される。
(１)  背もたれの後面上部に設けた上面開口する係止孔に、ハンガーにおける水平の吊支杆の中央部より前向きに突出する支腕の前端に設けた支持片を、着脱可能に嵌合してなり、かつ前記吊支杆を、中央杆と、その両端において、水平軸まわりに回動しうるようにした回動杆とからなるものとする。
【０００８】
(２)  前記(１)項において、係止孔を、背もたれにおける左右側杆の上部同士を連結する横杆の中央部に設けた支持金具に形成する。
【０００９】
(３)  前記(１)または(２)項において、支腕を支持片の後下方へ向かって傾斜させる。
【００１０】
(４)  背もたれの左右側杆の上部同士を連結する横杆の中央部後面より、前向凹入する凹入孔を設けるとともに、この凹入孔の下縁に、後方へ突出する受片を設け、かつ受片の上面に上方を向く係止突栓を設け、ハンガーにおける左右方向を向く吊支杆の中央部より前方を向く支持杆の前端に、上方を向く鈎片を設けるとともに、鈎片と、そのやや後方において前記支持杆に、それぞれ前後方向および上下方向を向く係止孔を設け、前記支持杆を水平として、その前端の鈎片を前記凹入孔内へ挿入したとき、鈎片の上端面は凹入孔の上面に当接するとともに、支持杆の前端部は前記受片の上面に支持され、かつ支持杆の前端の係止孔は受片の上面における係止突栓に嵌入し、かつ上記鈎片を前方へ向けて上記受片の上面に係止するとともに、鈎片における係止孔を、受片の上面の係止突栓に嵌合しうるようにする。
【００１１】
(５)  前記(４)項において、ハンガーにおける吊支杆を、基端部が支持杆の後端部上面に垂直支軸をもって枢支することにより、横向き一直線状に展開したり、後向きに折りたたんだりしうるようにする。
【００１２】
(６)  背もたれの上部に、前端を左右方向の軸をもって枢支した支持杆の後端にハンガーを設け、かつ背もたれの後傾と連動して、前記支持杆を上向回動させるようにした押上げ手段を設ける。
【００１３】
(７)  前記(６)項において、押上げ手段を、支持杆の中間部と、背もたれの後傾に伴って、座板とともに下傾する伝動杆とを連杆をもって連結したものとし、背もたれの後傾に伴って、伝動杆および連杆を介して、前記支持杆を上向回動させるようにする。
【００１４】
【発明の実施の形態】
まず図１および図２を参照して、請求項１〜３に記載の発明の実施形態を説明する。
椅子の背もたれ(１)の後面における上下方向の左右の側杆(２)(２)の上端同士は、横杆(３)をもって連結されている。横杆(３)の後面中央には、後方へ突出する支持金具(４)が一体的に形成され、支持金具(４)には、左右方向にやや長い上下方向の有底の係止孔(５)が設けられ、係止孔(５)の後面は、やや狭幅の下向きの嵌合溝(６)を介して開口している。
【００１５】
ハンガー(７)は、前記係止孔(５)へ上方から適正に係合しうる支持片(８)の後面中央に、後方へ向かってやや下傾する支腕(９)を一体に形成し、かつ支腕(９)の後端に、左右方向を向く水平の吊支杆(10)を設けてなり、吊支杆(10)は、中央杆(10a)と、その左右に突出して、水平軸まわりに軽く回動しうる回動杆(10b)(10b)とからなっている。
【００１６】
すなわち、吊支杆(10)の中央杆(10a)の両側面の中心から、左右方向を向く支軸(10c)(10c)が突設され、各支軸(10c)に、回動杆(10b)における軸孔が、回動自在に、かつ適宜抜止めして枢支されている。
【００１７】
前記支持片(８)を、支持金具(４)の係止孔(５)へ上方から嵌合することにより、ハンガー(７)を、容易に背もたれ(１)の後側で着脱自在に取り付けることができる。
【００１８】
ハンガー(７)における吊支杆(10)は、後向下傾する支腕(９)の後端に取付けられているため、背もたれ(１)の高さが低くて、ハンガー(７)に吊支した衣服の裾が床面に触れるおそれがある場合等には、支持片(８)の係止孔(５)に対する挿入方向を上下逆として、吊支杆(10)の床面からの高さを高くすることができる。
【００１９】
また吊支杆(10)の両側部は、水平軸まわりに回動しうる回動杆(10b)となっているので、掛けられた衣服が、吊支杆(10)と擦れて痛むおそれは小さい。
【００２０】
図３〜図５は、請求項４および５に記載の本発明の実施形態を示す。
図示しない椅子の背もたれの後面の左右側杆(11)(11)の上端同士を連結する横杆(12)の後面中央部には、前向きの凹入孔(13)と、凹入孔(13)の下縁から後方へ突出する受片(14)が設けられ、受片(14)の上面中央部には、係止突栓(15)が設けられている。
【００２１】
ハンガー(16)は、前後方向を向く支持杆(17)の後端に、左右方向を向く吊支杆(18)(18)の基部を、上下方向の支軸(19)をもって枢支して形成されている。支持杆(17)の前端には、上向きの鈎片(20)が連設され、かつ鈎片(20)およびその若干後方において支持杆(17)には、それぞれ、前後方向および上下方向の係止孔(21)(22)が設けられている。
なお、左右の吊支杆(18)(18)を、折たたみ不能の一体物とすることもある。
【００２２】
ハンガー(16)を取付けるには、図３、図４に示すように、鈎片(20)を上向きとして、後方から凹入孔(13)内に嵌入し、支持杆(17)の前端の係止孔(23)を、受片(14)の上面の係止突栓(15)に嵌合する。これにより、支持杆(17)は受片(14)の上面に水平に保持され、吊支杆(18)も水平に保持される。
【００２３】
ハンガー(16)を使用しない場合には、図５に示すように、鈎片(20)を前に向けて水平とし、その係止孔(21)を係止突栓(15)に嵌合させる。これにより、ハンガー(16)は、背もたれの後面に沿って垂下状態となり、邪魔になることはない。
【００２４】
図６、図７は、請求項６および７に記載の本発明の実施の形態を示す。
背もたれ(23)の後面左右の側杆(24)(24)の上端を連結する横杆(25)の中央部に、ハンガー(26)における前向きの支持杆(27)の前端の横向き筒軸(28)を、左右軸まわりに回動しうるように枢支してある。
【００２５】
支持杆(27)の中間部に、左右方向の軸ピン(29)をもって上端を枢支した連杆(30)の下端は、背もたれ(23)の後傾に伴って後部が下傾する座板(31)と一体的に傾動する伝動杆(32)の後端に枢支(33)されている。
【００２６】
背もたれ(23)を後傾させて、ハンガー(26)の支持杆(27)の支持部である横杆(25)が下降すればするほど、伝動杆(32)、および、連杆(30)を介して、ハンガー(26)の支持杆(27)は上方へ回動させられ、ハンガー(26)の位置は高くなるように、各部の寸法を定めてある。
【００２７】
従って、背もたれ(23)の後傾に伴って、ハンガー取付部である横杆(25)および筒軸(28)が下降しても、ハンガー(26)に掛けてある衣服の裾が下降して、床等に触れることはない。
【００２８】
【発明の効果】
各請求項に記載の発明の効果は次の如くである。
請求項１：−
不要の際には、ハンガーを簡単に取り外すことができる。また、吊支杆に掛けた衣服が前後に傾動しても、吊支杆と相対運動を生じることはなく、衣服が擦られることはない。
【００２９】
請求項２：−
ハンガーにおける支腕の前端の支持を強固に行うことができる。
【００３０】
請求項３：−
係止孔に対する支持片の嵌入方向を上下逆とすることにより、支腕の後端の吊支杆の高さを上下に変化させることができる。
【００３１】
請求項４：−
ハンガーにおける支持杆を、背もたれの横杆に簡単に係止することができる。
【００３２】
請求項５：−
不要時、ハンガーを垂直状態として背もたれの後面に沿わせることができ、邪魔になることはない。
【００３３】
請求項６：−
背もたれの後傾と連動して、ハンガーの相対位置は高くなるので、掛けた衣服の裾が床面に接触することはない。
【００３４】
請求項７：−
背もたれの後傾と連動して、ハンガーの相対位置は高くなるので、掛けた衣服の裾が床面に接触することはない。
【図面の簡単な説明】
【図１】  本請求項１〜３記載の発明の実施形態を示す後方斜視図である。
【図２】  図１における要部の後方分解斜視図である。
【図３】  請求項４および５記載の発明の実施形態を示す要部の後方分解斜視図である。
【図４】  図３において、ハンガーを取付けた状態を示す要部縦断側面図である。
【図５】  図３において、ハンガーを取外して垂下させた状態を示す縦断側面図である。
【図６】  請求項６および７に記載の発明の実施の形態を示す後方斜視図である。
【図７】  図６を側方から見た略図である。
【符号の説明】
(１)背もたれ
(２)側杆
(３)横杆
(４)支持金具
(５)係止孔
(６)嵌合溝
(７)ハンガー
(８)支持片
(９)支腕
(10)吊支杆
(10a)中央杆
(10b)回動杆
(10c)支軸
(11)側杆
(12)横杆
(13)凹入孔
(14)受片
(15)係止突栓
(16)ハンガー
(17)支持杆
(18)吊支杆
(19)垂直支軸
(20)鈎片
(21)(22)係止孔
(23)背もたれ
(24)側杆
(25)横杆
(26)ハンガー
(27)支持杆
(28)筒軸
(29)軸ピン
(30)連杆
(31)座板
(32)伝動杆
(33)枢支部
【図１】
0004061047.tif 000002
【図２】
0004061047.tif 000003
【図３】
0004061047.tif 000004
【図４】
0004061047.tif 000005
【図５】
0004061047.tif 000006
【図６】
0004061047.tif 000007
【図７】
0004061047.tif 000008